【手続補正書】
【提出日】令和3年6月8日(2021.6.8)
【手続補正１】
【補正対象書類名】特許請求の範囲
【補正対象項目名】全文
【補正方法】変更
【補正の内容】
【特許請求の範囲】
【請求項１】
次のもの：
（ａ）  （メタ）アクリル酸とヒドロキシル化水素化ポリブタジエンとのエステル１０重量％〜２５重量％、
（ｂ）  Ｃ４〜１８アルキルアクリレート０重量％〜５重量％、
（ｃ）  メチルメタクリレート０重量％〜０．３重量％、
（ｄ）  ｎ−ブチルメタクリレート６０重量％〜７５重量％、
（ｅ）  Ｃ１０〜３０アルキル（メタ）アクリレート、好ましくはＣ１０〜１５アルキルメタクリレート、より好ましくはＣ１２〜１４アルキルメタクリレート５重量％〜２０重量％及び
（ｆ）  スチレンモノマー０重量％〜２重量％
からなり、
市販のポリメチルメタクリレート標準物質を用いたサイズ排除クロマトグラフィー（ＳＥＣ）により測定された７０００００ｇ／ｍｏｌ以上の重量平均分子量Ｍｗ及び１３００００ｇ／ｍｏｌ以上の数平均分子量Ｍｎを特徴とする、ポリアルキル（メタ）アクリレートをベースとする櫛型ポリマー。
【請求項２】
市販のポリメチルメタクリレート標準物質を用いたサイズ排除クロマトグラフィー（ＳＥＣ）により測定した場合に、重量平均分子量Ｍｗは、好ましくは７０００００ｇ／ｍｏｌ〜２００００００ｇ／ｍｏｌの範囲内、より好ましくは７０００００ｇ／ｍｏｌ〜１７０００００ｇ／ｍｏｌの範囲内、特に好ましくは７０００００ｇ／ｍｏｌ〜１３０００００ｇ／ｍｏｌの範囲内であり、かつ数平均分子量Ｍｎは、１３００００ｇ／ｍｏｌ〜３０００００ｇ／ｍｏｌの範囲内、より好ましくは１３００００ｇ／ｍｏｌ〜２２００００ｇ／ｍｏｌの範囲内、特に好ましくは１５００００ｇ／ｍｏｌ〜２０００００ｇ／ｍｏｌの範囲内であることを特徴とする、請求項１に記載のポリアルキル（メタ）アクリレートをベースとする櫛型ポリマー。
【請求項３】
値Ｐが１．５以下である：
【数１】
2019044186.tif 000001
ことを特徴とする、請求項１又は２に記載のポリアルキル（メタ）アクリレートをベースとする櫛型ポリマー。
【請求項４】
潤滑油組成物、特にエンジンオイル調製物のＫＶ１００を増加させると同時にＨＴＨＳ１００及びＨＴＨＳ８０を減少させるための、請求項１から３までのいずれか１項に記載のポリアルキル（メタ）アクリレートをベースとする櫛型ポリマーの使用。
【請求項５】
次のもの：
（Ａ）  ベースオイル６０重量％〜８０重量％と、
（Ｂ）  次のモノマー：
（ａ）  （メタ）アクリル酸とヒドロキシル化水素化ポリブタジエンとのエステル１０重量％〜２５重量％、
（ｂ）  Ｃ４〜１８アルキルアクリレート０重量％〜５重量％、
（ｃ）  メチルメタクリレート０重量％〜０．３重量％、
（ｄ）  ｎ−ブチルメタクリレート６０重量％〜７５重量％、
（ｅ）  Ｃ１０〜３０アルキル（メタ）アクリレート、好ましくはＣ１０〜１５アルキルメタクリレート、より好ましくはＣ１２〜１４アルキルメタクリレート５重量％〜２０重量％及び
（ｆ）  スチレンモノマー０重量％〜２重量％
からなり、７０００００ｇ／ｍｏｌ以上の重量平均分子量Ｍｗ及び１３００００ｇ／ｍｏｌ以上の数平均分子量Ｍｎを特徴とする、ポリアルキル（メタ）アクリレートをベースとする櫛型ポリマー２０重量％〜４０重量％と
を含む、添加剤組成物。
【請求項６】
市販のポリメチルメタクリレート標準物質を用いたサイズ排除クロマトグラフィー（ＳＥＣ）により測定した場合に、成分（Ｂ）の重量平均分子量Ｍｗは、好ましくは７０００００ｇ／ｍｏｌ〜２００００００ｇ／ｍｏｌの範囲内、より好ましくは７０００００ｇ／ｍｏｌ〜１７０００００ｇ／ｍｏｌの範囲内、特に好ましくは７０００００ｇ／ｍｏｌ〜１３０００００ｇ／ｍｏｌの範囲内であり、かつ数平均分子量Ｍｎは、１３００００ｇ／ｍｏｌ〜３０００００ｇ／ｍｏｌの範囲内、より好ましくは１３００００ｇ／ｍｏｌ〜２２００００ｇ／ｍｏｌの範囲内、特に好ましくは１５００００ｇ／ｍｏｌ〜２０００００ｇ／ｍｏｌの範囲内であることを特徴とする、請求項５に記載の添加剤組成物。
【請求項７】
潤滑油組成物、特にエンジンオイル調製物のＫＶ１００を増加させると同時にＨＴＨＳ１００を減少させるための、請求項５又は６に記載の添加剤組成物の使用。
【請求項８】
次のもの：
（Ａ）  ベースオイル８０重量％〜９９．５重量％と、
（Ｂ）  次のモノマー：
（ａ）  （メタ）アクリル酸とヒドロキシル化水素化ポリブタジエンとのエステル１０重量％〜２５重量％、
（ｂ）  Ｃ４〜１８アルキルアクリレート０重量％〜５重量％、
（ｃ）  メチルメタクリレート０重量％〜０．３重量％、
（ｄ）  ｎ−ブチルメタクリレート６０重量％〜７５重量％、
（ｅ）  Ｃ１０〜３０アルキル（メタ）アクリレート、好ましくはＣ１０〜１５アルキルメタクリレート、より好ましくはＣ１２〜１４アルキルメタクリレート５重量％〜２０重量％及び
（ｆ）  スチレンモノマー０重量％〜２重量％
からなり、７０００００ｇ／ｍｏｌ以上の重量平均分子量Ｍｗ及び１３００００ｇ／ｍｏｌ以上の数平均分子量Ｍｎを特徴とする、ポリアルキル（メタ）アクリレートをベースとする櫛型ポリマー０．５重量％〜５重量％と、
（Ｃ）  １つ又は複数のさらなる添加剤０重量％〜１５重量％と
を含む、潤滑油組成物。
【請求項９】
市販のポリメチルメタクリレート標準物質を用いたサイズ排除クロマトグラフィー（ＳＥＣ）により測定した場合に、成分（Ｂ）の重量平均分子量Ｍｗは、好ましくは７０００００ｇ／ｍｏｌ〜２００００００ｇ／ｍｏｌの範囲内、より好ましくは７０００００ｇ／ｍｏｌ〜１７０００００ｇ／ｍｏｌの範囲内、特に好ましくは７０００００ｇ／ｍｏｌ〜１３０００００ｇ／ｍｏｌの範囲内であり、かつ数平均分子量Ｍｎは、１３００００ｇ／ｍｏｌ〜３０００００ｇ／ｍｏｌの範囲内、より好ましくは１３００００ｇ／ｍｏｌ〜２２００００ｇ／ｍｏｌの範囲内、特に好ましくは１５００００ｇ／ｍｏｌ〜２０００００ｇ／ｍｏｌの範囲内であることを特徴とする、請求項８に記載の潤滑油組成物。
【請求項１０】
成分（Ｃ）は、従来のＶＩ向上剤、分散剤、消泡剤、清浄剤、酸化防止剤、流動点降下剤、摩耗防止添加剤、極圧添加剤、摩擦調整剤、腐食防止添加剤、染料及びこれらの混合物から成る群から選択されることを特徴とする、請求項８又は９に記載の潤滑油組成物。
【請求項１１】
請求項１から３までのいずれか１項に記載のポリアルキル（メタ）アクリレートをベースとする櫛型ポリマーの製造方法において、次の工程：
（ａ）  モノマーと希釈油１とを含む反応混合物を調製し、その際、前記モノマーは、４０〜６５重量％、好ましくは４０〜５０重量％の量で存在するものとする工程、
（ｂ）  工程（ａ）で調製された前記反応混合物の５０％を、８０〜１２０℃の範囲内、好ましくは９０〜１００℃の範囲内の温度に加熱する工程、
（ｃ）  工程（ｂ）で調製された前記反応混合物に、前記モノマーの全体量を基準として０．０５〜０．１％の開始剤１を添加し、ここで、該開始剤は、工程（ｂ）による所与の温度で、１００〜２００分の範囲内、好ましくは１５０〜１７０分の範囲内の半減期Ｔ１／２を有するものとする工程、
（ｄ）  工程（ａ）で調製された前記反応混合物のさらなる量と、さらに０．０５〜０．１％の開始剤１とを、２〜４時間、好ましくは３時間かけて添加する工程、
（ｅ）  工程（ｄ）で調製された前記反応混合物を、所与の温度で０．５〜３時間、好ましくは２時間保持する工程、
（ｆ）  工程（ｅ）で調製された前記反応混合物を、さらなる量の開始剤１を含む希釈油２で０．５〜３時間かけて３０％まで希釈する工程、
（ｇ）  必要に応じて、工程（ｅ）で調製された前記反応混合物にさらなる量の開始剤１又は開始剤２を添加して少なくとも２時間保持し、ここで、前記開始剤２は、開始剤１と同一であってもよいし異なっていてもよいものとする工程及び
（ｈ）  工程（ｇ）で調製された前記反応混合物を、希釈油１又は希釈油２の添加によって目的の濃度まで希釈し、ここで、前記希釈油２は、希釈油１と同一であってもよいし異なっていてもよいものとする工程
を含む、方法。
【請求項１２】
開始剤１と開始剤２とは、同一であってもよいし異なっていてもよく、これらは、アゾ開始剤、例えば、アゾビスイソブチロニトリル（ＡＩＢＮ）、２，２’−アゾビス（２−メチルブチロニトリル）（ＡＭＢＮ）及び１，１−アゾビスシクロヘキサンカルボニトリル及びペルオキシ化合物、例えば、メチルエチルケトンペルオキシド、アセチルアセトンペルオキシド、ジラウリルペルオキシド、ｔ−ブチルペル−２−エチルヘキサノエート、ケトンペルオキシド、ｔ−ブチルペルオクトエート、メチルイソブチルケトンペルオキシド、シクロヘキサノンペルオキシド、ジベンゾイルペルオキシド、ｔ−ブチルペルオキシベンゾエート、ｔ−ブチルペルオキシイソプロピルカーボネート、２，５−ビス（２−エチルヘキサノイルペルオキシ）−２，５−ジメチルヘキサン、ｔ−ブチルペルオキシ−２−エチルヘキサノエート、ｔ−ブチルペルオキシ−３，５，５−トリメチルヘキサノエート、ジクミルペルオキシド、１，１−ビス（ｔ−ブチルペルオキシ）シクロヘキサン、１，１−ビス（ｔ−ブチルペルオキシ）−３，３，５−トリメチルシクロヘキサン、クミルヒドロペルオキシド、ｔ−ブチルヒドロペルオキシド及びビス（４−ｔ−ブチルシクロヘキシル）ペルオキシジカーボネートから成る群から独立して選択されることを特徴とする、請求項１１に記載の方法。
【請求項１３】
１，１−ジ−ｔ−ブチルペルオキシ−３，３，５−トリメチルシクロヘキサンを開始剤１として使用し、かつｔ−ブチルペルオキシ２−エチルヘキサノエート又は１，１−ジ−ｔ−ブチルペルオキシ−３，３，５−トリメチルシクロヘキサンを開始剤２として使用することを特徴とする、請求項１１又は１２に記載の方法。
【請求項１４】
希釈油１と希釈油２とは、同一であってもよいし異なっていてもよく、これらは、ＡＰＩグループＩ、ＩＩ、ＩＩＩ、ＩＶ、Ｖ及びこれらの混合物から成る群から独立して選択されることを特徴とする、請求項１１から１３までのいずれか１項に記載の方法。